(57)【要約】 【課題】 従来ズボンのベルトループは、ズボンに付属しておりその取り付け位置や形態は固定しており、自由に移動したりデザインを変更することはできなかった。【解決手段】一端をズボンのウエスト部上部に差込んで、ズボンを挟み着脱する事ができる形体とし、他の部分をループ状のベルト通し部とし、更にループ部の上部が開閉できることを特徴とするベルトループを開発した。本発明のベルトループを使用する事により、ズボン着用時のベルト本来の機能を補助するとともに、必要により取り付け位置や取り付け個数を変え、より利便的、実用的に使用できるという効果と、その時の服装や気分によりデザインを変えて楽しんだり、リング、キーホルダー等の小物を取り付けたりできるという効果を発揮するものである。【選択図】図１
2010180518.tif 000002
【特許請求の範囲】
【請求項１】
ズボンのベルトを通すループにおいて、厚さが１ｍｍから２ｍｍの可撓性板材から成り、幅が１ｃｍから３ｃｍの範囲で、ズボンのウエスト部上部に着脱可能な差込部分と、ベルトを通すループ部分とを一体化し、ループ部分の上部が開閉できる構造を有することを特徴とする着脱式ベルトループ 。
【発明の詳細な説明】
【技術分野】
【０００１】
本発明は、ズボンに着脱できるベルトループに関するものである。    
【背景技術】
【０００２】
従来ズボンのベルトループは、ズボンに付属しておりその取り付け位置や形体は固定しており、自由に移動したりデザインを変更することはできなかった。下記の特許文献１には、ズボン付属のベルトループにリングやベルトを取り付け使用するもの、特許文献２には、ズボンに縫着した布片と面テープを使用し、腰に吊り下げる収納袋の交換を簡単にできるようにしたものが出願されているが、いずれもズボンのべルトループは縫着固定されており、このループ自体の位置や形体を変更できるものではない。
【先行技術文献】
【特許文献】
【０００３】
【特許文献１】特開２００７−１６７６００号公報
【特許文献２】特開２００４−２１１２２４号公報
【発明の概要】
【発明が解決しようとする課題】
【０００４】
従来ズボンのベルトループは、ズボンに付属しそのデザインや取り付け位置は固定され、変更することはできなかった。しかしこれでは、大き目のウエストバックをベルトに取り付けようとしてもベルトループが邪魔になったり、又、重い工具を入れたバックをベルトに取り付けるとベルトがずり下がり安定しないという問題があった。又、ベルトループにキーホルダー等をつけたくてもループは逢着固定されており、付け外し機能のない単純なリング・キーホルダー等はそのままでは取り付けられないという問題もあった。  
【０００５】
本発明は、上記問題点を解決し、使用者の意思でその都度着脱でき、取り付け位置や個数が自由に選択でき、又、付け外し機能のない単純なリング・キーホルダー等も簡単に付け外しでき、更には付け替え式カバーを装着し、デザインを変え楽しむこともできる等、より利便性、実用性の高いベルトループを開発することを課題とした。    
【課題を解決するための手段】
【０００６】
上記課題を解決するために開発した本発明のベルトループは、厚さ１ｍｍから２ｍｍ、幅１ｃｍから３ｃｍの可撓性の板材から成り、ズボンのウエスト部上部に着脱可能な差込み部分と、ベルトを通すループ部分とが一体化し、ループ部分の上部が開閉できることを特徴とする。
【０００７】
本件ベルトループの一端は着脱可能な差込部となっており、これをズボンのウエスト部分の上部から差込、ウェスト部分を挟み固定する。他の部分はズボンの外側で、ベルトを通すループを形成する。
【０００８】
ベルトループは着脱可能な差込タイプのため、使用者の意思によりズボンのウエスト部分の自由な場所で着脱でき、ベルトはこのループを通しズボンのウエスト部分を一周し、ベルト本来のズボンのずり落ち防止の機能を果たす。
【発明の効果】
【０００９】
本発明のベルトループは、ズボン着用時のベルト本来の機能を補助するとともに、必要により取り付け位置や取り付け個数を変えることができ、更にループ部分が開閉できるため、様々なデザインの付け替え式カバーをつけてデザイン変更することができ、又付け外し機能のない単純なリング・キーホルダー等も簡単に付け外しできるという効果を発揮するものである。
【図面の簡単な説明】
【００１０】
【図１】本発明の着脱式ベルトループ斜視図
【図２】本発明の着脱式ベルトループ側面図
【図３】実施例説明図          Ａ  実施例１説明図          Ｂ  実施例２説明図
【発明を実施するための形態】
【００１１】
以下、実施の形態を、図面を参照しつつ詳細に説明する。     
【００１２】
図１は本発明着脱式ベルトループ斜視図であるが、ズボンウエスト部上部に差し込む差込部２は、先端部２１からズボンの中に差し入れ、ズボンのウエスト部生地を挟み込み本体を固定する。ベルト通し部３は、ズボンの外側に面する部分であるが、ベルトは中空部３３を通し、ズボンのウエスト部を一周し、ズボンのずり落ち防止という本来の機能を果たすことができる。
【００１３】
図２は、本発明着脱式ベルトループ側面図である。差込部固定部２２とベルト通し部固定部３２は中折れ式形状となっており、差込部固定部２２はウエスト部に差し込むとき外側に広げるが、反発力で戻りウエスト部を挟み込み固定する。  
【００１４】
ベルト通し部固定部３２は付け替え式カバーを装着する際や、付け外し機能のない単純なリング・キーホルダー等を取り付ける際、ベルト通し部３の上部３１部分を外側に引き広げるが反発力で戻りベルト通し部を固定する。 付け替え式のカバーを装着する際は、ベルト通し部３の上部３１から挿入し差込部２までの間に装着する。
【００１５】
図３は本発明の使用方法を示したもので、各符号はそれぞれ、１着脱式ベルトループ、４重いウエストバック、５付け替え式カバー装着の着脱式ベルトループ、６キーホルダー、７ズボンウエスト部上部、８ベルトを示す。  本発明の着脱式ベルトループは、図３Ａに示すように、通常のベルトループと同様の位置に挟みこみ使用してもよいし、ベルトに装着するバックの状況に応じ設置場所を適宜設定することもできる。又、図３Ｂに示すように、様々なデザインの付け替え式カバーをつけたり、又付け外し機能のない単純なリング・キーホルダー等も簡単に付け外しできる。  
【００１６】
以下、具体的実施例を説明する。
【実施例１】
【００１７】
実施例のベルトループは、厚さ１ｍｍ、幅１ｃｍの可撓性のステンレス製板材から成っており、図１及び図２に示すような形体に形成加工し、その構造はズボンに差し入れ挟み込む差込部２と、ベルトを通すベルト通し部３から形成される。
【００１８】
差込部固定部２２は中折れ式形状となっており、ウエスト部に差し込むとき外側に広げるが、反発力で戻りウエスト部を挟み込み固定する。ベルト通し部固定部３２も中折れ式形状となっており、付け替え式カバーをつけたり、又付け外し機能のない単純なリング・キーホルダー等を着脱する場合、上部３１部分を外側に引き広げるが反発力で戻り、中空部３３を形成固定する。  
【００１９】
図３Ａに示すように、着脱式ベルトループ１は自由に着脱できることから、一般的なズボンのベルトループと同様の位置に取り付け使用する他、大き目のウエストバックや重いものをベルトに装着する場合、重いウエストバックの両サイドに取り付け、ベルトのずり落ち防止を強化する等状況に対応し設置できる。
【実施例２】
【００２０】
図３Ｂに示すように、ベルト通し部３の上部３１が開閉できることから、付け外し機能のない単純なリング・キーホルダー等も簡単に付け外しでき、又、付け替え式カバーを装着し様々なデザインを楽しむこともできる。
【００２１】
以下、本発明の使用方法を説明する。
ベルトループ本体はズボンのウエスト部上部から差込固定し、ベルトはそのループを通しベルト本来の機能を果たす。使用者がウエストバックの装着時等、、大きなウエストバックや重いものを入れたウエストバック等、装着するものに対応して自由に使用個数や取り付け位置を設定することができることから、大きなバックを装着する場合は、ベルトループの間隔を広げたり、重いバックを装着する場合は、バックの両サイドに設置し支えを補強したり、又、付け替え式カバーを装着しデザインを変えたり、リング、キーホルダーや等の小物を取り付けたりと、ベルトループの機能を高め、より実用的に使用できる。
【００２２】
以上述べたように本発明によりベルトループは、ズボンに縫着され、ベルトを通すことのみを目的としたズボン付属のベルトループとは一線を画し、ズボン着用時のベルト本来の機能を補助するとともに、使用者の意思によりその設置場所や設置個数を決定でき、より実用的にするという効果と、簡単に着脱できるという高い利便性を発揮するものである。又、その時の服装や気分により自由にデザインを変えて楽しんだり、リング、キーホルダー等の小物を取り付けたりできるという効果を発揮するものである。
【符号の説明】
【００２３】
１     着脱式ベルトループ
２     差込部
２１   先端部
２２   固定部
３     ベルト通し部
３１   上部
３２   固定部
３３   中空部
４     重いウエストバック
５     付け替え式カバー装着の着脱式ベルトループ
６     キーホルダー
７     ズボンウエスト部上部
８     ベルト
【図１】
2010180518.tif 000003
【図２】
2010180518.tif 000004
【図３】
2010180518.tif 000005